(57)【要約】【課題】紙製や合成樹脂製の薄膜スクリーンシートを用いた簡易型スクリーンにおいて、別途の格納容器を必要とすることなく、薄膜スクリーンシートの破れや皺、汚れを防止して繰り返しの使用にも耐えることができ、しかもユーザーが容易に焼却処分できて使い勝手がよく、軽量で持ち運びに便利であり、且つ低コストで製造できる簡易型スクリーンを提供せんとする。【解決手段】紙製又は合成樹脂製の薄膜スクリーンシート２と、薄膜スクリーンシート２の下端辺２ｂに連設させる芯部材３と、薄膜スクリーンシート２の上端辺２ａに連設され、少なくとも前記芯部材３に巻き付けられた薄膜スクリーンシート２の周りを全周にわたって覆うことのできる上下寸法を有し、且つ薄膜スクリーンシート２よりも厚さの大きい紙製又は合成樹脂製の保護カバーシート４とより構成した。【選択図】図１
2011164282.tif 000002
【特許請求の範囲】
【請求項１】
紙製又は合成樹脂製の薄膜スクリーンシートと、
前記薄膜スクリーンシートの下端辺に連設させる芯部材と、
前記薄膜スクリーンシートの上端辺に連設され、前記薄膜スクリーンシートよりも厚さの大きい紙製又は合成樹脂製の保護カバーシートと、
よりなる簡易型スクリーン。
【請求項２】
前記保護カバーシートが、少なくとも前記芯部材に巻き付けられた前記薄膜スクリーンシートの周りを全周にわたって覆うことのできる上下寸法を有している請求項１記載の簡易型スクリーン。
【請求項３】
前記保護カバーシートが、スクリーン吊下げ部を備える請求項１又は２記載の簡易型スクリーン。
【請求項４】
前記保護カバーシートが、上端側を前側に折り返して該上端側が薄膜スクリーンシート上端辺を覆うように二つ折可能に構成されるとともに、前記スクリーン吊下げ部として、前記折り返し位置から上下に等しい距離の位置にそれぞれ吊下げ穴が設けられ、前記二つ折状態でこれら吊下げ穴が前後に重なり二重の吊下げ穴として機能する請求項３記載の簡易型スクリーン。
【請求項５】
前記芯部材が、前記薄膜スクリーンシートよりも厚さの大きい紙製又は合成樹脂製の芯材用シートを前記薄膜スクリーンシートの下端辺に連設したものであり、スクリーン収納時に該芯材用シートのうえに薄膜スクリーンシートが巻き付けられる請求項１〜４の何れか１項に記載の簡易型スクリーン。
【請求項６】
前記芯部材が、紙製若しくは合成樹脂製の中空の筒状部材又は中実の棒状部材を前記薄膜スクリーンシートの下端辺に連設したものであり、スクリーン収納時に該筒状部材又は棒状部材のうえに薄膜スクリーンシートが巻き付けられる請求項１〜４の何れか１項に記載の簡易型スクリーン。
【請求項７】
前記芯部材及び前記保護カバーシートが、厚紙又は段ボールシートより構成されている請求項１〜６の何れか１項に記載の簡易型スクリーン。
【請求項８】
前記芯部材に巻き付けられた前記薄膜スクリーンシートの周りを覆った前記保護カバーシートを該状態に保持する保持バンドを設けた請求項１〜７の何れか１項に記載の簡易型スクリーン。
【発明の詳細な説明】
【技術分野】
【０００１】
本発明は、手動で巻き取り、携行できる簡易型スクリーンに関する。
【背景技術】
【０００２】
この種の簡易型スクリーンとしては、巻回できるスクリーンフイルム裏面上部に巻締用テープの裏面上端を固着し、巻締用テープの表面上部に連結物を固着し、巻締用テープの裏面下部に連結物の対向物を固着し、スクリーンフイルムを巻締めると共に、巻締用テープを巻締めて巻締用テープの表面上部の連結物と巻締用テープの裏面下部の連結物の対向物とを組み合わせて、スクリーンフイルムを巻締めたものを固定できるようにし、スクリーンフイルムの裏面上部及び下端にそれぞれ硬質発泡合成樹脂製長尺板状物を固着し、その両端及び／又はその中間部に壁、カーテン等の垂直面に取りはずし可能に取りつけられる粘着テープ及び／又はフックテープを固着した巻取スクリーンフイルムが提案されている（特許文献１参照）。
【０００３】
この巻取スクリーンフィルムでは、格納容器を使用しないで、軽量かつ構造強固に携帯できるとしているが、このような構造の巻取スクリーンフィルムでは、巻き取った状態でフィルムが外部に露出しているため、フィルム自体に外部環境に対する十分な耐久性が要求され、実際にはフィルムとして紙製や合成樹脂製の薄膜のスクリーンシートを採用することは難しく、このような薄膜のスクリーンシートを用いると、やはり格納容器がなければ端部の破れや皺、汚れが生じやすく、繰り返し使用することに耐え得ない。
【先行技術文献】
【特許文献】
【０００４】
【特許文献１】特開２０００−１８７２７８号公報
【発明の概要】
【発明が解決しようとする課題】
【０００５】
そこで、本発明が前述の状況に鑑み、解決しようとするところは、紙製や合成樹脂製の薄膜スクリーンシートを用いた簡易型スクリーンにおいて、別途の格納容器を必要とすることなく、薄膜スクリーンシートの破れや皺、汚れを防止して繰り返しの使用にも耐えることができ、しかもユーザーが容易に焼却処分できて使い勝手がよく、軽量で持ち運びに便利であり、且つ低コストで製造できる簡易型スクリーンを提供する点にある。
【課題を解決するための手段】
【０００６】
本発明は、前述の課題解決のために、紙製又は合成樹脂製の薄膜スクリーンシートと、前記薄膜スクリーンシートの下端辺に連設させる芯部材と、前記薄膜スクリーンシートの上端辺に連設され、前記薄膜スクリーンシートよりも厚さの大きい紙製又は合成樹脂製の保護カバーシートと、よりなる簡易型スクリーンを構成した（請求項１）。
【０００７】
ここで、前記保護カバーシートが、少なくとも前記芯部材に巻き付けられた前記薄膜スクリーンシートの周りを全周にわたって覆うことのできる上下寸法を有しているものが好ましい（請求項２）。
【０００８】
また、前記保護カバーシートが、スクリーン吊下げ部を備えるものが好ましい（請求項３）。
【０００９】
更に、前記保護カバーシートが、上端側を前側に折り返して該上端側が薄膜スクリーンシート上端辺を覆うように二つ折可能に構成されるとともに、前記スクリーン吊下げ部として、前記折り返し位置から上下に等しい距離の位置にそれぞれ吊下げ穴が設けられ、前記二つ折状態でこれら吊下げ穴が前後に重なり二重の吊下げ穴として機能するものが好ましい（請求項４）。
【００１０】
また、前記芯部材が、前記薄膜スクリーンシートよりも厚さの大きい紙製又は合成樹脂製の芯材用シートを前記薄膜スクリーンシートの下端辺に連設したものであり、スクリーン収納時に該芯材用シートのうえに薄膜スクリーンシートが巻き付けられるものが好ましい（請求項５）。
【００１１】
或いは、前記芯部材が、紙製若しくは合成樹脂製の中空の筒状部材又は中実の棒状部材を前記薄膜スクリーンシートの下端辺に連設したものであり、スクリーン収納時に該筒状部材又は棒状部材のうえに薄膜スクリーンシートが巻き付けられるものが好ましい（請求項６）。
【００１２】
また、前記芯部材及び前記保護カバーシートが厚紙又は段ボールシートより構成されているものが好ましい（請求項７）。
【００１３】
更に、前記芯部材に巻き付けられた前記薄膜スクリーンシートの周りを覆った前記保護カバーシートを該状態に保持する保持バンドを設けたものが好ましい（請求項８）。
【発明の効果】
【００１４】
請求項１に係る簡易型スクリーンによれば、スクリーン使用時には薄膜スクリーンシートが展開した状態で、下端辺に連設されている芯部材がおもりとなって薄膜スクリーンシートを安定した展開状態に張った状態に維持し、他方の上端辺側に連設されている保護カバーシートを保持してスクリーン全体を壁等に設置することができる。また、収納時には、下側の芯部材からそのまわりに薄膜スクリーンシートを巻き付けてゆき、更に薄膜スクリーンシートよりも厚さの大きい保護カバーシートが薄膜スクリーンシートの外側に巻かれることで、該保護カバーシートが薄膜スクリーンシートの保護部材として機能する。これにより、別途の格納容器を必要とすることなく、薄膜スクリーンシートの破れや皺、汚れを防止して繰り返し使用することができる。
【００１５】
更に、請求項１に係る簡易型スクリーンは、少なくとも薄膜スクリーンシートと保護カバーシートは紙製又は合成樹脂製とされているため、不要となった場合にはユーザ側で可燃物として容易に焼却処分することができ、製造メーカー等は回収して管理やメンテナンス等する必要がなく、ユーザが使用後に容易に処分できる１ｗａｙ化した普及しやすいものとすることができる。また、同じく紙製又は合成樹脂製であるため材料コストが安く、加工性、組み付け性もよく、製造コストが低減できるとともに、全体的に軽量であり、上述のとおり別途の格納容器も不要であるため、持ち運びに非常に便利である。
【００１６】
請求項２に係る簡易型スクリーンによれば、保護カバーシートが薄膜スクリーンシートを完全に覆い、外力や汚れから薄膜スクリーンシートを確実に保護できる。
【００１７】
請求項３に係る簡易型スクリーンによれば、保護カバーシートがスクリーン吊下げ部を備えるので、保護カバーシートに薄膜スクリーンシートの保護機能に加えてスクリーン全体の吊下げ機能を兼用させ、別途の吊下げ手段を取り付けることなく、壁や天井その他の箇所にスクリーン全体を容易に吊下げて設置することができ、構造の効率化による低コスト化を図ることができる。
【００１８】
請求項４に係る簡易型スクリーンによれば、保護カバーシートが、上端側を前側に折り返して該上端側が薄膜スクリーンシート上端辺を覆うように二つ折可能に構成されるので、スクリーンシートと保護カバーシートとの境界部分を隠し、スクリーン使用時の外観デザインをよくすることができる。また、このように折り返した保護カバーシートの当該折り返し位置から上下に等しい距離の位置にそれぞれ吊下げ穴が設けられ、二つ折状態でこれら吊下げ穴が前後に重なり、二重の吊下げ穴として機能するので、紙製又は合成樹脂製の保護カバーシートに形成される吊下げ穴に係る負担を前後で二分でき、スクリーン吊下げ部の耐久性を高めることができる。
【００１９】
請求項５に係る簡易型スクリーンによれば、芯部材が、薄膜スクリーンシートよりも厚さの大きい紙製又は合成樹脂製の芯材用シートを薄膜スクリーンシートの下端辺に連設したものであり、スクリーン収納時に該芯材用シートのうえに薄膜スクリーンシートを巻き付ける構造としたので、スクリーン全体を紙製又は合成樹脂製とすることができ、これにより、スクリーンが不要となった場合に全体をそのまま可燃物として容易に焼却処分できるとともに、さらなる製造コストの低減、軽量化を図ることができる。
【００２０】
請求項６に係る簡易型スクリーンによれば、芯部材が、紙製若しくは合成樹脂製の中空の筒状部材又は中実の棒状部材を薄膜スクリーンシートの下端辺に連設したものであり、スクリーン収納時に該筒状部材又は棒状部材のうえに薄膜スクリーンシートを巻き付ける構造としたので、同じくスクリーン全体を紙製又は合成樹脂製とすることができ、焼却処分の容易化、製造コストの低減、軽量化を図ることができると同時に、芯材用シートを丸めてから薄膜スクリーンシートを巻き付けるものに比べて、芯材用シートを丸める作業が不要になり操作性が向上し、さらに使用時の展開状態での芯材用シートの巻きぐせを無くすことができ、見栄えも向上する。
【００２１】
請求項７に係る簡易型スクリーンによれば、芯部材及び保護カバーシートが厚紙又は段ボールシートより構成されているので、保護カバーシートが十分な強度を有し、薄膜スクリーンシートをより確実に保護することができる。
【００２２】
請求項８に係る簡易型スクリーンによれば、芯部材に巻き付けられた薄膜スクリーンシートの周りを覆った保護カバーシートを該状態に保持する保持バンドを設けたので、コストを抑えつつ安定した収納状態を確実に維持できる。
【図面の簡単な説明】
【００２３】
【図１】本発明の第１実施形態に係る簡易型スクリーンを示す斜視図。
【図２】同じく簡易型スクリーンの収納又は展開の途中の状態を示す斜視図。
【図３】同じく簡易型スクリーンの収納状態を示す斜視図。
【図４】同じく簡易型スクリーンの使用状態を示す斜視図。
【図５】本発明の第２実施形態に係る簡易型スクリーンを示す斜視図。
【図６】同じく簡易型スクリーンの収納又は展開の途中の状態を示す斜視図。
【図７】同じく簡易型スクリーンの収納状態を示す斜視図。
【図８】同じく簡易型スクリーンの使用状態を示す斜視図。
【発明を実施するための形態】
【００２４】
次に、本発明の実施形態を添付図面に基づき詳細に説明する。
【００２５】
図１は、本発明に係る簡易型スクリーン１の全体構成を示す斜視図であり、図１〜図４は第１実施形態、図５〜図８は第２実施形態を示し、図中符号２は薄膜スクリーンシート、３は芯部材、４は保護カバーシートをそれぞれ示している。
【００２６】
本発明の簡易型スクリーン１は、図１に示すように、紙製又は合成樹脂製の薄膜スクリーンシート２と、薄膜スクリーンシート２の下端辺２ｂに連設させる芯部材３と、薄膜スクリーンシート２の上端辺２ａに連設され、少なくとも前記芯部材３に巻き付けられた薄膜スクリーンシート２の周りを全周にわたって覆うことのできる上下寸法を有し、且つ薄膜スクリーンシート２よりも厚さの大きい紙製又は合成樹脂製の保護カバーシート４とより構成されている。
【００２７】
スクリーン使用時には、図４に示すように薄膜スクリーンシート２の展開状態で、下端辺の芯部材３がおもりとなって薄膜スクリーンシート２を安定した展開状態に張った状態に維持し、他方の上端辺側の保護カバーシート４を保持してスクリーン全体を壁等に設置することができる。また、収納時には、図２乃至図３に示すように下側の芯部材３からそのまわりに薄膜スクリーンシート２を巻き付けてゆき、更に保護カバーシート４が薄膜スクリーンシート２の外側に巻かれることで、該保護カバーシート４が薄膜スクリーンシート２の保護部材として機能する。これにより、別途の格納容器を必要とすることなく、薄膜スクリーンシート２の破れや皺、汚れを確実に防止することができるのである。
【００２８】
本発明の簡易型スクリーン１は、プロジェクター等の映像を投影する映像用スクリーンとして構成すること以外に、ウインドウ等に設けられる日除け用スクリーンや、薄膜スクリーンシートに絵画等を表示して広告シート等として使用する広告用スクリーンとして構成することもできる。
【００２９】
まず、図１〜図４に基づき、本発明の第１実施形態を説明する。
【００３０】
本実施形態のスクリーン１は、薄膜スクリーンシート２、シート状の芯部材３、及び保護カバーシート４のすべてが紙製とされ、焼却は勿論、回収して古紙として再利用可能とされている。ただし、すべてを紙製とするのではなく、例えば、薄膜スクリーンシート２をＰＥＴ等の合成樹脂フィルムより構成してもよく、紙シートと合成樹脂フィルムを積層して組み合わせたシートも勿論よい。また、保護カバーシート４についても、合成樹脂製のシートとしたり、紙シートと合成樹脂シートを積層して組み合わせたものでもよい。また、合成ゴム製や金属製、木製のシートで構成してもよい。更に、シート状の芯部材３についても、紙製以外に合成樹脂製や合成ゴム製、金属製、木製のシートなど種々のものを採用できる。
【００３１】
薄膜スクリーンシート２は、図１に示すように矩形状の紙シートよりなり、その縦横の寸法は適宜設定できる。薄膜スクリーンシート２の下端辺２ｂの裏面側に、前記芯部材３の上端部が接着剤や両面テープ等で接着され、薄膜スクリーンシート２の上端辺２ａの裏面側に、前記保護カバーシート４の下端部が同じく接着剤や両面テープ等で接着されている。勿論、ステープラその他の連設手段を用いて接合することも可能である。
【００３２】
芯部材３は、前記薄膜スクリーンシート２よりも厚さの大きい同じく矩形状の芯材用シート３０よりなり、左右端部が前記薄膜スクリーンシート２の左右端部から外側に突出するように該薄膜スクリーンシート２よりも幅広な左右寸法に設定されている。スクリーン収納時には、図２に示すように、まず該芯材用シート３０を巻いたうえに連続して薄膜スクリーンシート２が巻き付けられることとなる。特に本例では、芯材用シート３０が段ボールシートであり、収納時、これを断面視環状となるように丸めたうえに薄膜スクリーンシート２が更に巻き付けられることとなる。本例のように芯材用シート３０が段ボールシートの場合、どうしてもきれいな円形に丸くならず多角形状に丸くなってしまうが、あらかじめ所定の多角形になるように折り目（折り癖や浅い折り溝など）を入れておくこともスムーズに丸めることができる点で好ましい。
【００３３】
また、段ボールシートの代わりに、同じく薄膜スクリーンシート２よりも厚さの大きい板紙等の厚紙を選択することも好ましい。このような厚紙は段ボールシートのような中空立体構造ではないため収納時にきれいな円形に丸めることが容易となる。このような円形になるとその外側に巻き付けられる薄膜スクリーンシート２に皺が付きにくい点で好ましい。尚、本例では収納時に芯材用シート３０を断面視環状に丸めているが、上下寸法をより短く設定して断面視略Ｃ字状に丸めてもよい。このようなＣ字状でも厚手であり比較的強度を有しているため薄膜スクリーンシート２を巻き付ける芯材として十分に機能する。勿論、本例のように環状に丸めることのできる上下寸法を有している方が、薄膜スクリーンシート２を巻き付けた際に皺が付き難い点で好ましい。このような芯材用シート３０はシート状ではあるが厚手であり、したがってスクリーン展開時の錘となって薄膜スクリーンシート２を張る機能を有している。
【００３４】
保護カバーシート４は、芯部材３と同様、矩形状で薄膜スクリーンシート２よりも厚さの大きい段ボールシートより構成されており、スクリーン収納時、図３に示すように、芯材用シート３０のうえに巻き付けられた薄膜スクリーンシート２の周りを当該段ボールシートが覆うことで薄膜スクリーンシート２を保護するものである。このため、好ましくは、上下の寸法が、少なくとも前記スクリーン収納時に薄膜スクリーンシート２の全周にわたって覆うことのできる長さを有し、且つ左右の寸法についても、左右端部が薄膜スクリーンシート２の左右端部から外側に突出するように幅広に設定され、破れやすい薄膜のスクリーンシート２を収納時に完全に覆い、外力から保護できるように構成される。
【００３５】
本例では、保護カバーシート４はスクリーン収納時、断面視四角形の箱状に丸められるように予め４本の折り目４１が付されている。このように箱状に丸めた保護カバーシート４は保型性が高まり、外力に対して内部の薄膜スクリーンシート２を保護する機能が高まる。断面視四角形以外に例えば断面視五角形、その他の形状に丸められるように折り目（折り癖や浅い折り溝など）を設けたものも好ましい。その他、段ボールシートの代わりに、後述の第２実施形態のように同じく薄膜スクリーンシート２よりも厚さの大きい板紙等の厚紙を選択することも好ましい。
【００３６】
また、本例では、スクリーン収納時に薄膜スクリーンシート２の周りを覆った前記保護カバーシート４を該状態に保持する保持バンド５が設けられている。保持バンド５は面ファスナー付きの帯状部材からなり、保護カバーシート４とは別体で用意されたものであるが、予め保護カバーシートにこのような保持バンド５を固定したものでもよい。また、保持バンドの代りに紐等を用いてもよい。さらに、保護カバーシート４自体、例えば上下端辺に、予め面ファスナー等の係合部を設けてもよい。
【００３７】
また、保護カバーシート４は、スクリーンとして使用する際、図４に示すように、上端４ａ側を前側に折り返し、該上端４ａ側が薄膜スクリーンシート上端辺２ａを前側から覆うようにして使用される。ここでは、上記した収納時に丸めるための折り目４１のうち上から２番目の折り目４１を利用して二つ折りに折り返される。このように保護カバーシート４により薄膜スクリーンシート上端辺２ａを覆うことで、該スクリーンシートと保護カバーシート４との境界部分を隠し、スクリーン使用時の外観デザインをよくすることができる。
【００３８】
また、保護カバーシート４には、スクリーン全体を壁等に吊下げるときに利用するスクリーン吊下げ部１０として、吊下げ穴４２が開設されている。左右の開設位置は中央のみでもよいし、左右対象の位置のみでもよいが、本例では中央部と左右対称の位置にそれぞれ、上下一組の吊下げ穴４２が設けられ、各組の上下の吊下げ穴４２は、前記した保護カバーシート４のスクリーン使用時の折り返し位置（本例では上から２番目の折り目４１）から上下に等しい距離の位置にそれぞれ吊下げ穴４２が設けられ、使用時の前記二つ折状態でこれら吊下げ穴４２が前後に重なり二重の吊下げ穴４２として機能し、このような吊下げ穴４２にフックや紐等を用いて壁や天井等に吊下げて支持することができる。このように二重の吊下げ穴４２として使用することで、紙製であるスクリーン吊下げ部１０の耐久性を高めることができる。
【００３９】
尚、本実施形態では、使用時に保護カバーシート４を折り返してスクリーンシートとの境界部分を隠すようにしているが、折り返さずにそのまま使用することも勿論できる。この場合、吊下げ穴４２も上下一組に設ける必要はない。また、本実施形態のスクリーンは、保護カバーシートを保持するスタンドを床やテーブル等の上に載置して使用してもよい。また、保護カバーシート自体にスクリーン吊下げ部を設ける代わりに、別途、保護カバーシートの上端部などにスクリーンを吊下げるためのスクリーン吊下げ具を取り付けて使用するようにしてもよい。
【００４０】
次に、図５〜図８に基づき、本発明の第２実施形態を説明する。
【００４１】
本実施形態では、芯部材３として、芯材用シート３０を用いる代わりに、中空の筒状部材３１又は中実の棒状部材を前記薄膜スクリーンシートの下端辺に連設したものであり、スクリーン収納時に該筒状部材３１又は棒状部材のうえに薄膜スクリーンシート２が巻き付けられることから、芯材用シート３０を丸めてから薄膜スクリーンシート２を巻き付けるものに比べ、芯材用シートを丸める作業が不要になるとともに、滑らかな曲線状の外周面（円筒状や円柱状など）とすることで、その上に巻き付けられる薄膜スクリーンシート２に皺が付きにくいというメリットを有している。
【００４２】
尚、本例では紙製の筒状部材３１のみで構成したが、その他の素材（合成樹脂製、金属製、木製等）からなる軸体や管体を内外に重ねて構成してもよい。金属製（例えばアルミニウム製）の管又は棒の芯体の外周部に、紙製の筒状体を着脱可能に外装したものでもよい。この場合は、芯体を再使用し、外側の筒状体とこれに連設された薄膜スクリーンシート２、保護カバーシート４を新しく交換すればよい。ただし、廃棄しやすい合成樹脂製や紙製とすることが好ましい。
【００４３】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４４】
１  簡易型スクリーン
２  薄膜スクリーンシート
２ａ  上端辺
２ｂ  下端辺
３  芯部材
４  保護カバーシート
４ａ  上端
５  保持バンド
１０  スクリーン吊下げ部
３０  芯材用シート
３１  筒状部材
４１  折り目
４２  吊下げ穴
【図１】
2011164282.tif 000003
【図２】
2011164282.tif 000004
【図３】
2011164282.tif 000005
【図４】
2011164282.tif 000006
【図５】
2011164282.tif 000007
【図６】
2011164282.tif 000008
【図７】
2011164282.tif 000009
【図８】
2011164282.tif 000010